(57)【要約】【課題】生体情報を登録する際の操作負荷を低減することができる生体情報センサ装置及び生体情報の登録方法を提供する。【解決手段】生体情報センサ装置１は、読取面２０に接触した検出対象の生体情報２６を読み取る生体情報センサ２を制御し、生体情報２６を登録して認証に使用される登録生体情報３３を生成する際、読取面２０に対する検出対象の接触が検出されている間、移動する検出対象の生体情報２６の読み取りを続けて登録生体情報３３を生成する制御部３を備えて概略構成されている。【選択図】図５
2019200719.tif 000002
【特許請求の範囲】
【請求項１】
読取面に接触した検出対象の生体情報を読み取る生体情報センサを制御し、前記生体情報を登録して認証に使用される登録生体情報を生成する際、前記読取面に対する前記検出対象の接触が検出されている間、移動する前記検出対象の前記生体情報の読み取りを続けて前記登録生体情報を生成する制御部を備えた生体情報センサ装置。
【請求項２】
前記制御部は、前記生体情報を読み取った後、前記読取面に接触している前記検出対象の前記生体情報を連続して読み取るため、接触を保った状態で前記読取面に対する前記検出対象の位置を移動させるように報知する報知情報を出力する、
請求項１に記載の生体情報センサ装置。
【請求項３】
前記制御部は、前記読取面に対する前記検出対象の位置が変化した後、再度前記読取面に対する前記検出対象の位置が予め定められた期間変化しない場合、新たな位置による前記生体情報の読み取りを行う、
請求項２に記載の生体情報センサ装置。
【請求項４】
前記制御部は、接触を保った状態で読み取られた複数の前記生体情報に基づいて前記登録生体情報を生成する、
請求項１乃至３のいずれか１項に記載の生体情報センサ装置。
【請求項５】
読取面に接触した検出対象の生体情報を読み取る生体情報センサを制御し、前記生体情報を登録して認証に使用される登録生体情報を生成する際、前記読取面に対する前記検出対象の接触が検出されている間、移動する前記検出対象の前記生体情報の読み取りを続けて前記登録生体情報を生成する、
生体情報の登録方法。
【発明の詳細な説明】
【技術分野】
【０００１】
本発明は、生体情報センサ装置及び生体情報の登録方法に関する。
【背景技術】
【０００２】
従来の技術として、指紋読み取りセンサに押し当てた指から入力指紋を読み取り、入力指紋と予め登録された登録指紋との照合を行う指紋照合装置が知られている（例えば、特許文献１参照。）。
【０００３】
この指紋照合装置は、さらに指紋読み取りセンサに対する指の押圧が所定値以上となるとオン状態となる圧力スイッチと、被登録者の入力指紋に基づいて、当該被登録者の登録指紋を定めて登録する登録処理部と、を有している。また指紋照合装置は、登録指紋を登録する際、複数回指紋読み取りセンサに指を押し当てる必要がある。
【先行技術文献】
【特許文献】
【０００４】
【特許文献１】特開２００２−２９８１２７号公報
【発明の概要】
【発明が解決しようとする課題】
【０００５】
従来の指紋照合装置は、圧力スイッチがオン状態とならないと入力指紋を読み取らないので、登録指紋を登録する際、何度もセンサに押し当てた指の力を抜いたり、指を離したりしなければならず、ユーザの操作負荷が大きい問題がある。
【０００６】
従って本発明の目的は、生体情報を登録する際の操作負荷を低減することができる生体情報センサ装置及び生体情報の登録方法を提供することにある。
【課題を解決するための手段】
【０００７】
本発明の一態様は、読取面に接触した検出対象の生体情報を読み取る生体情報センサを制御し、生体情報を登録して認証に使用される登録生体情報を生成する際、読取面に対する検出対象の接触が検出されている間、移動する検出対象の生体情報の読み取りを続けて登録生体情報を生成する制御部を備えた生体情報センサ装置を提供する。
【０００８】
本発明の他の態様は、読取面に接触した検出対象の生体情報を読み取る生体情報センサを制御し、生体情報を登録して認証に使用される登録生体情報を生成する際、読取面に対する検出対象の接触が検出されている間、移動する検出対象の生体情報の読み取りを続けて登録生体情報を生成する、生体情報の登録方法を提供する。
【発明の効果】
【０００９】
本発明によれば、生体情報を登録する際の操作負荷を低減することができる。
【図面の簡単な説明】
【００１０】
【図１】図１（ａ）は、実施の形態に係る生体情報センサ装置の一例を示す概略図であり、図１（ｂ）は、生体情報センサ装置のブロック図の一例であり、図１（ｃ）は、生体情報センサが読み取った読取画像の一例を示す概略図である。
【図２】図２（ａ）は、実施の形態に係る生体情報センサ装置の生体情報センサの一例を説明するための概略図であり、図２（ｂ）は、生体情報センサ装置が含まれる車両通信システムのブロック図の一例であり、図２（ｃ）は、メインモニタに表示された報知の一例を示す概略図である。
【図３】図３（ａ）〜図３（ｃ）は、実施の形態に係る生体情報センサ装置による生体情報の登録の一例を説明するための概略図である。
【図４】図４（ａ）〜図４（ｃ）は、実施の形態に係る生体情報センサ装置が読み取った生体情報の一例を示す概略図であり、図４（ｄ）は、読み取った生体情報を重ね合わせた登録生体情報の一例を示す概略図である。
【図５】図５は、実施の形態に係る生体情報センサ装置の動作の一例を示すフローチャートである。
【発明を実施するための形態】
【００１１】
（実施の形態の要約）
実施の形態に係る生体情報センサ装置は、読取面に接触した検出対象の生体情報を読み取る生体情報センサを制御し、生体情報を登録して認証に使用される登録生体情報を生成する際、読取面に対する検出対象の接触が検出されている間、移動する検出対象の生体情報の読み取りを続けて登録生体情報を生成する制御部を備えて概略構成されている。
【００１２】
この生体情報センサ装置は、読取面に検出対象を接触させた状態で移動する検出対象の生体情報の読み取りを続けるので、接触と非接触を繰り返して生体情報を登録する場合と比べて、生体情報を登録する際の操作負荷を低減することができる。
【００１３】
[実施の形態]
（生体情報センサ装置１の概要）
図１（ａ）は、実施の形態に係る生体情報センサ装置の一例を示す概略図であり、図１（ｂ）は、生体情報センサ装置のブロック図の一例であり、図１（ｃ）は、生体情報センサが読み取った読取画像の一例を示す概略図である。図２（ａ）は、実施の形態に係る生体情報センサ装置の生体情報センサの一例を説明するための概略図であり、図２（ｂ）は、生体情報センサ装置が含まれる車両通信システムのブロック図の一例であり、図２（ｃ）は、メインモニタに表示された報知の一例を示す概略図である。
【００１４】
なお、以下に記載する実施の形態に係る各図において、図形間の比率は、実際の比率とは異なる場合がある。また図１（ｂ）及び図２（ｂ）では、主な信号や情報の流れを矢印で示している。さらに数値範囲を示す「Ａ〜Ｂ」は、Ａ以上Ｂ以下の意味で用いるものとする。
【００１５】
生体情報センサ装置１は、例えば、検出対象の生体情報を読み取り、登録されている生体情報のテンプレートと認証を行うように構成されている。本実施の形態の検出対象は、ユーザの操作指である。そして読み取り対象となる生体情報は、操作指の指紋である。なお生体情報は、操作指の指紋に限定されず、操作指や手の平の静脈であっても良い。図１（ｃ）では、一例として、読み取られたユーザの指紋、つまり読み取られたユーザの生体情報２６を図示している。
【００１６】
生体情報センサ装置１は、ユーザの生体情報を事前に登録し、登録した登録生体情報と、読み取った生体情報と、を比較することで認証を行う。本実施の形態の生体情報センサ装置１は、この登録時の操作負荷を低減するものである。
【００１７】
具体的には、生体情報センサ装置１は、例えば、図１（ａ）〜図１（ｃ）に示すように、読取面２０に接触した検出対象の生体情報２６を読み取る生体情報センサ２を制御し、生体情報２６を登録して認証に使用される登録生体情報３３を生成する際、読取面２０に対する検出対象の接触が検出されている間、移動する検出対象の生体情報２６の読み取りを続けて登録生体情報３３を生成する制御部３を備えて概略構成されている。
【００１８】
この制御部３は、生体情報２６を読み取った後、読取面２０に接触している検出対象の生体情報２６を連続して読み取るため、接触を保った状態で読取面２０に対する検出対象の位置を移動させるように報知する報知情報Ｓ３を出力するように構成されている。
【００１９】
また制御部３は、読取面２０に対する検出対象の位置が変化した後、再度読取面２０に対する検出対象の位置が予め定められた期間変化しない場合、新たな位置による生体情報２６の読み取りを行うように構成されている。この予め定められた期間は、例えば、図１（ｂ）に示す静止期間３４である。
【００２０】
そして制御部３は、接触を保った状態で読み取られた複数の生体情報２６に基づいて登録生体情報３３を生成するように構成されている。
【００２１】
本実施の形態の生体情報センサ装置１は、例えば、図１（ｂ）に示すように、生体情報センサ２と、制御部３と、を備えて概略構成されている。
【００２２】
また本実施の形態の生体情報センサ装置１は、一例として、車両に搭載されている。生体情報センサ装置１は、一例として、車両の駆動装置の駆動を指示するスタートスイッチなどに配置される。そして生体情報センサ装置１は、例えば、図２（ｂ）に示すように、車両に搭載された車載装置の相互の通信を可能とする車両通信システム８を利用して報知を行う。
【００２３】
この車両通信システム８は、一例として、図２（ｂ）に示すように、車両ＬＡＮ（Local Area Network）８０と、車両制御部８１と、メインモニタ８２と、サブモニタ８３と、電子機器８４と、を備えて概略構成されている。
【００２４】
車両ＬＡＮ８０は、例えば、有線及び無線によって相互に信号や情報などの交換を可能とするＣＡＮ（Controller Area Network）やＬＩＮ（Local Interconnect Network）といった車両用ネットワークである。車両制御部８１は、例えば、車両通信システム８を制御するように構成されている。
【００２５】
メインモニタ８２は、例えば、車両のセンターコンソールなどに配置され、地図や各種メニューなどを表示する。またサブモニタ８３は、例えば、車両のインストルメントパネルに配置され、計器類や燃料の残量などを表示する。電子機器８４は、例えば、シートの駆動装置、空調装置、ミラーの駆動装置などである。
【００２６】
生体情報センサ装置１は、例えば、接触を保った状態で読取面２０に対する操作指９の位置を移動させるように報知する場合、このメインモニタ８２及びサブモニタ８３の少なくとも一方に報知としてメッセージを表示させる。なお報知の方法は、メッセージの表示に限定されず、音や光、振動などを用いたものであっても良いし、メッセージの表示、音や光、振動などを組み合わせたものであっても良い。
【００２７】
また生体情報センサ装置１は、例えば、生体情報２６の認証が成立した場合、認証が成立したことを示す認証情報Ｓ２を出力する。電子機器８４は、例えば、この認証情報Ｓ２に基づいて認証が成立したユーザが登録した設定を実行する。例えば、電子機器８４がシートの駆動装置であった場合、ユーザが登録したシート位置にシートを駆動する。また例えば、電子機器８４が空調装置であった場合、ユーザが登録した設定温度、風量などの設定を行う。さらに例えば、電子機器８４がミラーの駆動装置であった場合、ユーザが登録した位置にミラーを駆動する。
【００２８】
また生体情報センサ装置１がスタートスイッチに配置されている場合、車両制御部８１は、例えば、生体情報センサ装置１から出力される認証情報Ｓ２に基づいて車両のエンジンやモータの駆動を指示する。
【００２９】
（生体情報センサ２の構成）
生体情報センサ２は、上述のように、静電容量式のセンサである。この生体情報センサ２は、例えば、図１（ａ）に示すように、本体１０に設けられた読取面２０に接触した操作指９から指紋、つまり生体情報２６を読み取る。
【００３０】
なお変形例として生体情報センサ２は、例えば、光学式、感圧式及び感熱式などの指紋を読み取るように構成されたセンサであっても良い。また生体情報センサ２は、例えば、手の平の掌紋などを読み取るように構成されたセンサであっても良い。さらに生体情報センサ２は、生体情報２６として操作指や手の平の静脈を読み取るように構成されても良い。静脈の読み取りは、例えば、照射した近赤外線の反射に基づいて静脈パターンを読み取るように構成されたセンサを用いて行われる。そして生体情報センサ２は、これらを組み合わせたセンサであっても良い。
【００３１】
また他の変形例として、生体情報センサ装置１は、例えば、読取面２０に接触したことを検出するセンサと、生体情報２６を読み取るセンサと、を備える構成であっても良い。接触を検出するセンサは、例えば、読取面２０に付加された荷重を検出するセンサや撮像などによって読取面２０に対する接触を検出するセンサなどである。
【００３２】
生体情報センサ２は、例えば、図２（ａ）に示すように、読取面２０の下方にマトリクス状に並ぶ複数の検出電極２１を備えている。この複数の検出電極２１は、一例として、数万から数十万個形成されると共に、数μｍから数十μｍの間隔で配置されている。
【００３３】
読取面２０は、例えば、図１（ａ）の紙面左上を原点としたＸＹ座標が設定される。生体情報センサ２は、例えば、Ｘ軸方向を行とした場合、行に並ぶ検出電極２１の静電容量を読み出し、続いて行を替えて検出電極２１の静電容量を読み出すことを繰り返して全ての検出電極２１を走査するように構成されている。この走査の周期は、一例として、１００ｍｓ程度である。
【００３４】
生体情報センサ２は、例えば、走査して読み出した複数の静電容量の情報である静電容量情報Ｓ１を生成して制御部３に出力する。この静電容量情報Ｓ１は、例えば、１周期分の静電容量の情報である。具体的には、生体情報センサ２は、例えば、予め設けられたしきい値以上の静電容量を「１」、しきい値より低い静電容量を「０」に分けると共に、検出電極２１の位置と関連付けて静電容量情報Ｓ１を生成する。
【００３５】
図１（ｃ）に示す読取画像２５は、一例として、静電容量情報Ｓ１に基づいて「１」の検出電極２１の位置を黒、「０」の検出電極２１の位置を白としたものである。なお図中の丸は、後述する特徴点２７を示すために付したものである。
【００３６】
静電容量が高い位置は、指紋の山の位置であって検出電極２１までの距離が近いので、静電容量が高くなる。そして低い位置は、指紋の谷の位置であって検出電極２１までの距離が遠く、静電容量が低くなる。従って静電容量の高い位置を黒、低い位置を白とすると、一例として、図１（ｃ）に示すような読取画像２５が得られる。
【００３７】
この読取画像２５は、読取面２０と相似形であり、ＸＹ座標系に対応してｘｙ座標系が設定されている。そして読取画像２５において黒で示した画像が読み取られた生体情報２６となる。
【００３８】
（制御部３の構成）
制御部３は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部３が動作するためのプログラムと、接触しきい値３０と、類似度しきい値３１と、読取しきい値３２と、登録生体情報３３と、静止期間３４と、が格納されている。ＲＡＭは、例えば、一時的に演算結果などを格納する記憶領域として用いられる。
【００３９】
接触しきい値３０は、操作指９の読取面２０に対する接触を判定するためのしきい値である。制御部３は、一例として、静電容量情報Ｓ１に基づいて上述の「１」の値を取る検出電極２１の数が接触しきい値３０以上となった場合、操作指９が読取面２０に接触したと判定する。
【００４０】
なお変形例として制御部３は、例えば、静電容量情報Ｓ１が静電容量と検出電極２１の位置とが関連付けられた情報であった場合、接触しきい値３０が静電容量のしきい値として定義され、この接触しきい値３０以上の静電容量を有する検出電極２１の数によって接触を判定する構成であっても良く、これらに限定されない。
【００４１】
制御部３は、例えば、静電容量情報Ｓ１に対して抽出処理を行って特徴点２７を抽出する。この抽出処理は、例えば、隆線の抽出処理などである。
【００４２】
特徴点２７とは、例えば、図１（ｃ）に示すように、中心点、分岐点、端点及び三角州などであるがこれに限定されない。中心点とは、指紋の中心となる点である。分岐点とは、指紋の隆線が分岐している点である。端点とは、隆線が切れている点である。三角州とは、三方向から隆線が集まった点である。
【００４３】
制御部３は、例えば、これらの特徴点２７を抽出し、抽出した特徴点２７の画像である抽出画像を生成する。登録生体情報３３は、例えば、登録された抽出画像であるテンプレートと登録したユーザの情報を関連付けた情報である。
【００４４】
制御部３は、登録生体情報３３のテンプレートと読み取った生体情報２６から得られた抽出画像とを比較し、特徴点２７の位置、特徴点２７間の距離などに基づいて類似度を算出する。そして制御部３は、類似度が類似度しきい値３１以上であった場合、生体情報２６の認証が成立したとして認証情報Ｓ２を出力する。
【００４５】
この類似度しきい値３１は、一例として、８０％である。つまり制御部３は、例えば、認証に使用する特徴点２７の数が８０個である場合、６４個以上の特徴点２７が一致すれば、登録者であると判定する。なお一致とは、特徴点２７の位置、特徴点２７間の距離などの一致を含んでいる。
【００４６】
読取しきい値３２は、生体情報２６から登録生体情報３３を生成する際に用いられるしきい値である。読取しきい値３２は、例えば、読み取った生体情報２６から得られた特徴点２７の数のしきい値である。制御部３は、例えば、生体情報２６を読み取ると共に特徴点２７を抽出し、抽出した特徴点２７の数が読取しきい値３２より少ない場合、新たな位置による生体情報２６の読み取りを報知する。
【００４７】
なお変形例として読取しきい値３２は、例えば、読取画像２５に対する読み取った生体情報２６の面積や割合として定義されても良い。つまり制御部３は、登録生体情報３３を生成する際、読み取った生体情報２６の面積が読取画像２５の７０％や８０％より小さい場合、新たな位置による生体情報２６の読み取りを報知する。この面積は、一例として、静電容量情報Ｓ１に基づいた上述の「１」の値を取る検出電極２１の数として算出されるがこれに限定されない。
【００４８】
静止期間３４は、上述のように、新たな位置による生体情報２６の読み取りを行うために用いられるしきい値である。制御部３は、生体情報センサ２から出力される静電容量情報Ｓ１に基づいて操作指９の移動を監視し、移動した後の操作指９が静止期間３４以上静止している場合、登録生体情報３３を生成するために生体情報２６を取得する。この静止期間３４は、一例として、１〜２秒である。
【００４９】
このように制御部３は、生体情報センサ２から周期的に出力される静電容量情報Ｓ１を時系列的に記憶するように構成されている。制御部３が生体情報２６を読み取るとは、例えば、この記憶された静電容量情報Ｓ１から選択して生体情報２６を得ることも含んでいる。
【００５０】
・登録生体情報３３の生成について
図３（ａ）〜図３（ｃ）は、実施の形態に係る生体情報センサ装置による生体情報の登録の一例を説明するための概略図である。図４（ａ）〜図４（ｃ）は、実施の形態に係る生体情報センサ装置が読み取った生体情報の一例を示す概略図であり、図４（ｄ）は、読み取った生体情報を重ね合わせた登録生体情報の一例を示す概略図である。図３（ａ）〜図３（ｃ）は、一例として、図１（ａ）に示すＡ−Ａ線で切断した断面を示している。以下では、報知は、メインモニタ８２を介してなされるとするがこれに限定されない。
【００５１】
制御部３は、上述のように、読取面２０に接触した検出対象の生体情報２６を読み取る生体情報センサ２を制御し、生体情報２６を登録して認証に使用される登録生体情報３３を生成する際、読取面２０に対する検出対象の接触が検出されている間、移動する検出対象の生体情報２６の読み取りを続けて登録生体情報３３を生成する登録方法に従って生体情報２６を登録する。
【００５２】
以下では、登録生体情報３３の生成の一例について説明する。生体情報センサ装置１は、生体情報２６を登録する登録モードにあるものとする。この登録モードは、例えば、メインモニタ８２に表示されたアイコンを選択、決定することにより実行される。
【００５３】
図３（ａ）に示すように、ユーザが操作指９を読取面２０の中央に接触させた場合、例えば、図４（ａ）に示すように、読取画像２５の中央付近において生体情報２６が読み取られる。
【００５４】
制御部３は、図４（ａ）に示す生体情報２６の特徴点２７の数が読取しきい値３２よりも小さい場合、報知情報Ｓ３を生成して出力する。メインモニタ８２は、例えば、図２（ｃ）に示すように、報知情報Ｓ３に基づいて表示画面８２０に「読み取りできました。そのまま指を動かして下さい。」などの接触を保った状態で読取面２０に対する操作指９の位置を移動させる報知としてのメッセージ８２１を表示する。
【００５５】
図３（ｂ）に示すように、ユーザがメッセージ８２１に従って読取面２０に操作指９を接触させたまま、図３（ｂ）の紙面左方向に操作指９を傾け、静止した時間が静止期間３４以上となった場合、制御部３は、生体情報２６の読み取りを行う。その結果、制御部３は、例えば、図４（ｂ）に示すように、読取画像２５の左側付近の生体情報２６を得る。
【００５６】
制御部３は、例えば、図４（ａ）及び図４（ｂ）に示す生体情報２６を合わせた生体情報２６の特徴点２７の数が読取しきい値３２より小さい場合、再度報知情報Ｓ３を出力する。そしてメインモニタ８２は、再度メッセージ８２１を表示する。
【００５７】
続いて図３（ｃ）に示すように、ユーザがメッセージ８２１に従って読取面２０に操作指９を接触させたまま、図３（ｃ）の紙面右方向に操作指９を傾け、静止した時間が静止期間３４以上となった場合、制御部３は、生体情報２６の読み取りを行う。その結果、制御部３は、例えば、図４（ｂ）に示すように、読取画像２５の右側付近の生体情報２６を得る。
【００５８】
そして制御部３は、例えば、図４（ａ）〜図４（ｃ）に示す生体情報２６を合わせた生体情報２６の特徴点２７の数が読取しきい値３２以上となった場合、テンプレートとしての登録生体情報３３を生成する。図４（ｄ）は、図４（ａ）〜図４（ｃ）に示す生体情報２６を合成した登録生体情報３３である。
【００５９】
なお生体情報２６の合成は、例えば、読取画像２５のｘｙ平面における平行移動及び回転によって指紋パターンの一部が一致するように行われる。この合成は、一例として、最初に読み取られた生体情報２６の指紋パターンを基準に行われる。
【００６０】
以下に実施の形態の生体情報センサ装置１の動作の一例について図５のフローチャートに従って説明する。生体情報センサ装置１は、ユーザが生体情報２６の登録を行う登録モードになっている場合について説明する。
【００６１】
（動作）
生体情報センサ装置１の制御部３は、登録モードに入ると、ユーザの接触を促す報知情報Ｓ３を出力する（Ｓｔｅｐ１）。メインモニタ８２は、車両ＬＡＮ８０を介して報知情報Ｓ３を取得すると、接触を促すメッセージ８２１を表示する。
【００６２】
制御部３は、生体情報センサ２から周期的に出力される静電容量情報Ｓ１と接触しきい値３０とに基づいて読取面２０に対する接触を監視する。制御部３は、ステップ２の「Ｙｅｓ」が成立する、つまり読取面２０に対する接触が検出された場合（Ｓｔｅｐ２：Ｙｅｓ）、続く周期の生体情報２６を読み取る（Ｓｔｅｐ３）。
【００６３】
制御部３は、ステップ４の「Ｙｅｓ」が成立する、つまり操作指９が静止期間３４以上静止して生体情報２６の読み取りが完了した場合（Ｓｔｅｐ４：Ｙｅｓ）、今まで読み取られた生体情報２６と読取しきい値３２に基づいて登録生体情報３３を生成可能か判定する。
【００６４】
制御部３は、登録生体情報３３を生成不可である場合（Ｓｔｅｐ５：Ｙｅｓ）、接触を保ちながら操作指９を移動させる報知を行うため、報知情報Ｓ３を出力する（Ｓｔｅｐ６）。メインモニタ８２は、車両ＬＡＮ８０を介して報知情報Ｓ３を取得すると、接触を保ちながらの操作指９の移動を促すメッセージ８２１を表示する。
【００６５】
制御部３は、生体情報センサ２から周期的に取得する静電容量情報Ｓ１を監視し、操作指９が移動したか判定する。制御部３は、操作指９が移動した場合（Ｓｔｅｐ７：Ｙｅｓ）、時間を計測する。
【００６６】
制御部３は、ステップ８の「Ｙｅｓ」が成立する、つまり静止した時間が静止期間３４以上となった場合（Ｓｔｅｐ８：Ｙｅｓ）、ステップ３に処理を進める。
【００６７】
ここでステップ５において制御部３は、今まで読み取られた生体情報２６と読取しきい値３２とに基づいて登録生体情報３３を生成可能である場合（Ｓｔｅｐ５：Ｎｏ）、登録生体情報３３を生成して記憶し（Ｓｔｅｐ９）、登録動作を終了する。
【００６８】
またステップ７において制御部３は、操作指９が移動していない場合（Ｓｔｅｐ７：Ｎｏ）、ステップ６に進んで再度報知を行う。
【００６９】
（実施の形態の効果）
本実施の形態に係る生体情報センサ装置１は、生体情報２６を登録する際の操作負荷を低減することができる。具体的には、生体情報センサ装置１は、読取面２０に操作指９を接触させた状態で移動する操作指９の生体情報２６の読み取りを続ける、つまり操作指９を読取面２０から離さなくても登録が進むので、接触と非接触を繰り返して生体情報を登録する場合と比べて、生体情報２６を登録する際の操作負荷を低減することができる。
【００７０】
生体情報センサ装置１がスタートスイッチに配置されている場合、一例として、ユーザに対して対向するように、つまり車両の床に対して立ち上がるパネルなどに配置されることが多い。この場合、ユーザは、手を伸ばしてスタートスイッチを操作するが登録時に何度も接触と非接触を繰り返すのは操作負荷が高い。しかしこの生体情報センサ装置１は、操作指９を読取面２０から離さなくても登録が進むので、操作負荷を低減することができる。従って生体情報センサ装置１は、ユーザが手を水平方向に伸ばして操作する場所に配置される場合、効果的に操作負荷を低減することができる。
【００７１】
他の実施の形態は、読取面２０に接触した検出対象の生体情報２６を読み取る生体情報センサ２を制御し、生体情報２６を登録して認証に使用される登録生体情報３３を生成する際、読取面２０に対する検出対象の接触が検出されている間、移動する検出対象の生体情報２６の読み取りを続けて登録生体情報３３を生成する登録方法を実行させるプログラムやこのプログラムを記録したコンピュータで読み取り可能な記録媒体として提供される。
【００７２】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００７３】
１…生体情報センサ装置、２…生体情報センサ、３…制御部、８…車両通信システム、９…操作指、１０…本体、２０…読取面、２１…検出電極、２５…読取画像、２６…生体情報、２７…特徴点、３０…接触しきい値、３１…類似度しきい値、３２…読取しきい値、３３…登録生体情報、３４…静止期間、８０…車両ＬＡＮ、８１…車両制御部、８２…メインモニタ、８３…サブモニタ、８４…電子機器、８２０…表示画面、８２１…メッセージ
【図１】
2019200719.tif 000003
【図２】
2019200719.tif 000004
【図３】
2019200719.tif 000005
【図４】
2019200719.tif 000006
【図５】
2019200719.tif 000007